(57)【要約】【課題】文字や絵に独特な質感を加えた訴求力の高い印刷物を提供する。【解決手段】基材紙２に印刷した文字５や絵のパターン上に透明な接着剤を印刷して接着剤層４を形成し、フロッキング加工装置により接着剤層４へ透明な合成繊維を細かく裁断したフロック３を静電植毛する。印刷された文字や絵の上に透明なフロック３を植毛することにより、フロック３の表面に下地の文字５や絵の色が透けて見え、植毛部分はベルベットのような手触りで立体的な装飾効果があり、趣向を凝らした書籍、絵葉書、メッセージカードやポスターなどを提供できる。【選択図】  図２
2004351724.tif 000002
【特許請求の範囲】
【請求項１】
基材紙に印刷された文字や絵の表面に透明接着剤層を形成し、前記透明接着剤層上に透明なフロックを植毛加工して固定したフロッキング加工印刷物。
【請求項２】
基材紙に接着剤にて文字や絵のパターンを印刷し、前記接着剤層上に彩色フロックを植毛加工して固定したフロッキング加工印刷物。
【発明の詳細な説明】
【０００１】
【発明の属する技術分野】
この発明は、書籍やポスターや絵葉書等の印刷物に関するものであり、特に、文字や絵の塗潰し部分にフロッキング加工した印刷物に関するものである。
【０００２】
【従来の技術】
書籍等の印刷物中の文字や絵或いは図形の表面に、装飾効果をねらって紙以外の素材を用いたり表面加工を施したりした例は少なく、文字や絵のパターンに合わせて裁断した布地や皮革などを印刷面に接着したものが僅かに知られている程度である。
【０００３】
その他には、印刷基材として発泡ポリエチレンなどの樹脂シートの両面に起毛加工を施した化繊生地を貼り付けたものを用いて、化繊生地の表面に絵や文字を印刷した絵本が知られている（特許文献１）。
【０００４】
【特許文献１】特開平８−３２３０５０号公報
【０００５】
【発明が解決しようとする課題】
特許文献１記載の絵本は、化繊生地を樹脂シートの両面に貼り付けた印刷基材を、従来一般的な紙に代えて用いることにより、軽量化と同時に耐久性が向上し、幼児にとって好適であるとされているが、頁の両面が化繊生地に覆われていてその表面に文字や絵を印刷するものであって、特に文字や絵を際立たせる装飾効果は得られない。
【０００６】
一方、書籍等に印刷された文字や絵などの表面を基材紙とは異なる質感の素材で被覆すれば、文字や絵に独特な視覚効果や触感効果が生じて訴求力が向上すると考えられるが、布地や皮革を絵の模様に合わせて切り抜き、これを紙面に接着する作業は手間とコストがかかるので、絵本やポスターなどのように絵や図形などの占有率が大きい印刷物へ全体的に適用することが困難であるという問題がある。
【０００７】
そこで、文字や絵に特殊な表面処理を施した印刷物を、低コストで提供するために解決すべき技術的課題が生じてくるのであり、本発明は上記課題を解決することを目的とする。
【０００８】
【課題を解決するための手段】
この発明は、上記目的を達成するために提案するものであり、基材紙に印刷された文字や絵の表面に透明接着剤層を形成し、前記透明接着剤層上に透明なフロックを植毛加工して固定したフロッキング加工印刷物を提供するものである。
【０００９】
また、基材紙に接着剤にて文字や絵のパターンを印刷し、前記接着剤層上に彩色フロックを植毛加工して固定したフロッキング加工印刷物を提供するものである。
【００１０】
【発明の実施の形態】
以下、この発明の実施の一形態を図に従って詳述する。図１はフロッキング加工印刷物の一例として、カード形のフロッキング加工印刷物１を示し、基材紙２の表面の文字部分はフロッキング加工により短いフロック３（合成繊維、綿糸、羊毛などの繊維）が植毛されている。図１（ｂ）に示すようにフロック３は、接着剤層４によって基材紙２に固定されていて、基材紙２の表面よりも僅かに盛り上がっており、植毛部分の手触りは恰もベルベットのようであって、平滑な紙面と光沢のないマット面であるフロック３とのコントラストが従来の印刷物にない立体的な装飾効果を生み出しており、応用範囲も絵葉書、メッセージカードなどに限らず、ポスター、絵本などの書籍中の絵やイラストレーションなど広い範囲に用いることができる。
【００１１】
図２はフロッキング加工印刷物１の製造工程の一例を示す解説図であり、先ず基材紙２に文字５や絵などを印刷し（ａ）、フロッキング加工すべき文字５や絵のパターン上に透明な接着剤を印刷して接着剤層４を形成する（ｂ）。
【００１２】
つぎに、フロッキング加工装置（図示せず）にかけて接着剤層４にフロック３を静電植毛する（ｃ）。ここでは、既に印刷された文字５や絵の上に植毛するので、ナイロンやポリエチレンなどの透明な合成繊維のフィラメントを粉末状に短く裁断したフロック３を用いる。
【００１３】
フロッキング加工装置は公知のものであり、遮蔽された加工室内のワークテーブル上に載せた基材紙２に向けて、フロック放出ノズル６からフロック３を放出する。フロック放出ノズル６の側には高電圧の正電極板（図示せず）が設置されており、正電極板の電界中で帯電したフロック３は、接地されているワークテーブルに吸引され、基材紙２上に直立姿勢で着地する。接着剤層４上に着地したフロック３は、接着剤層に付着して保持される。
【００１４】
次に、接着剤層４に付着したフロック以外の余分なフロックを除去し、加熱乾燥工程により接着剤層４を固化させてフロック３を固定する（ｄ）。印刷された文字や絵の上に透明な接着剤層４を形成して透明なフロック３を植毛することにより、フロック３の表面に下地の文字５や絵の色が透けて見え、一種類のフロック３を用いてあらゆる色の部分を一工程でフロッキング加工することができる。
【００１５】
以上は、基材紙に予め文字や絵を印刷しておき、文字や絵の部分に透明な接着剤層を介してフロックを植毛する例であるが、他の実施形態を図３に示す。ここでは、フロッキング加工すべき文字や絵が印刷されていない基材紙２へ接着剤印刷により文字や絵のパターンの接着剤層４を形成する（ａ）。
【００１６】
つぎに、フロッキング加工装置にかけて接着剤層４にフロック３を静電植毛する（ｂ）。ここでは、フロッキング加工すべき文字や絵の彩色指定に適合する色のフロック３を用い、フロッキング加工装置のフロック放出ノズル６からワークテーブル上に載せた基材紙２に向けて着色フロック３を放出し、接着剤層４によって形成されている文字や絵のパターン上に着色フロック３を植毛する。そして、接着剤層４に付着したフロック以外の余分なフロックを除去し、加熱乾燥工程により接着剤層４を固化させることにより、フロック３が基材紙上に固定される（ｃ）。
【００１７】
この製造方法で多色フロッキング加工を行う場合は、一色ごとに一回のフロッキング加工を必要として工程数が多くなるが、着色フロックは透明フロックとはまた異なる視覚的な質感があり、目的に応じてこの製造方法を選択してもよい。
【００１８】
尚、この発明は上記の実施形態に限定するものではなく、この発明の技術的範囲内において種々の改変が可能であり、この発明がそれらの改変されたものに及ぶことは当然である。
【００１９】
【発明の効果】
以上説明したように、本発明のフロッキング加工印刷物は、文字や絵の塗り潰し領域内にフロックを植毛することにより、文字や絵に独特な視覚効果や触感効果が生じて商品としての注目度や表示媒体としての訴求力が向上する。また、布地などを文字や絵の上に貼り付ける手段に比較して生産性が著しく向上し、低コストで注目効果のある商品性の高い印刷物を提供できる。
【図面の簡単な説明】
【図１】本発明の実施の一形態を示し、（ａ）はカード形印刷物の正面図、（ｂ）は（ａ）中のａにて指示した部分の拡大断面図である。
【図２】（ａ）乃至（ｄ）はフロッキング加工印刷物の製造工程解説図である。
【図３】（ａ）乃至（ｃ）はフロッキング加工印刷物の製造工程解説図である。
【符号の説明】
１            フロッキング加工印刷物
２            基材紙
３            フロック
４            接着剤層
５            印刷文字
６            フロック放出ノズル
【図１】
2004351724.tif 000003
【図２】
2004351724.tif 000004
【図３】
2004351724.tif 000005